(57)【特許請求の範囲】
【請求項１】
建築物の床と外壁との間に配置される弾性を持たせた角棒状の耐火層間材を支持する支持金具を備えた耐火層間材の支持装置において、
前記支持金具は、
床の上面に配置される上端支持部と、
上端支持部から床の外面にそって垂下する添設部と、
添設部の下端から湾曲部を介して斜め上方に直線状に伸びて先端が外壁に接触し耐火層間材を下面側から支持する支持部と、
を有し、
この支持金具は、帯状平板材を屈曲加工して形成し、
耐火層間材の長手方向に間隔を置いて複数配置されることを特徴とする耐火層間材の支持装置。
【請求項２】
添設部は、床との接触面が粗面をなしていることを特徴とする請求項１記載の耐火層間材の支持装置。
【請求項３】
上端支持部または添設部のうちの少なくともいずれか一方は、床に貼着される接着層を有していることを特徴とする請求項１記載の耐火層間材の支持装置。
【請求項４】
支持金具は、帯状平板材ではなく、Ｕ形状に二つ折りにされた棒材を屈曲加工して形成されていることを特徴とする請求項１，２または３記載の耐火層間材の支持装置。
【発明の詳細な説明】
【０００１】
【発明の属する技術分野】
本発明は、下層階で発生した火災が上層階に延焼するのを防止するための耐火層間材の支持装置に係り、特に施工性がよく、しかも耐火層間材が床と外壁との間から脱落するおそれがない耐火層間材の支持装置に関する。
【０００２】
【従来の技術】
一般に、高層建築物においては、ＰＣ版製のカーテンウォールパネル等の壁パネルを、狭い間隙を介し上下および左右方向に連続配置して外壁とする外壁構法が採用されている。
【０００３】
ところで、この種の外壁構法においては、例えばデッキプレート上にコンクリートを打設して構成される床の端面と外壁との間に、その構造上所定の隙間が形成されるため、この間隙を層間材で閉止する必要があるとともに、下層階で発生した火災が上層階に延焼するのを防止するためには、この層間材を耐火構造とする必要がある。
【０００４】
そこで、本発明者等は先に、特願平５−２１０００７号において、充分な耐火性能を有し、しかも上層階で溶接作業を行なっていても不具合が生じるおそれがない耐火層間材を提案した。
【０００５】
【発明が解決しようとする課題】
本発明者等が先に提案した耐火層間材は、接着層の粘着力のみで耐火層間材を層間に固定する方法が採られているため、例えば床が雨水等によって極端に濡れているような場合には、必ずしも安定な固定力が得られるとは限らず、この状態で、耐火層間材に強い外力が加わった場合には、耐火層間材が層間から脱落するおそれがあるという問題がある。
【０００６】
本発明は、かかる現況に鑑みなされたもので、床がどのような状態であっても、耐火層間材を層間に安定に固定することができ、耐火層間材に強い外力が加わった場合であっても、耐火層間材が層間から脱落するおそれがない耐火層間材の支持装置を提供することを目的とする。
【０００７】
本発明の他の目的は、火災等が発生して耐火層間材周りが高温となった場合でも、支持金具による耐火層間材の支持力が低下するおそれがない耐火層間材の支持装置を提供するにある。
【０００８】
本発明の他の目的は、耐火層間材を層間に装着する際に、支持金具の位置がずれて作業に支障を来たすといった不具合がない耐火層間材の支持装置を提供するにある。
【０００９】
本発明のさらに他の目的は、支持金具の製作が容易で、しかも安定な支持力を容易に得ることができる耐火層間材の支持装置を提供するにある。
【００１０】
【課題を解決するための手段】
前記目的を達成するため本発明は、建築物の床と外壁との間に配置される弾性を持たせた角棒状の耐火層間材を支持する支持金具を備えた耐火層間材の支持装置において、前記支持金具は、床の上面に配置される上端支持部と、上端支持部から床の外面にそって垂下する添設部と、添設部の下端から湾曲部を介して斜め上方に直線状に伸びて先端が外壁に接触し耐火層間材を下面側から支持する支持部とを有し、この支持金具は、帯状平板材を屈曲加工して形成し、耐火層間材の長手方向に間隔を置いて複数配置するようにしたことを特徴とする。そして支持金具は、機械的に層間に装着固定されるので、床がどのような状態であっても安定した固定力を得ることが可能となる。
【００１１】
本発明はまた、建築物の床と外壁との間に配置される耐火層間材を支持する支持金具を備えた耐火層間材の支持装置において、前記支持金具を、床の上面に配置される上端支持部と、上端支持部から床の外面にそって垂下する添設部と、添設部の下端から外方に突出して耐火層間材中に挿入される挿入支持部とで構成し、この支持金具を、耐火層間材の長手方向に間隔を置いて複数配置するようにしたことを特徴とする。そして、支持金具の挿入支持部は、耐火層間材中に挿入されるので、例えば下層階で発生した火災によって耐火層間材の下面が高温に晒されても、支持金具自体が高温になることはなく、常に安定な支持力を得ることが可能となる。
【００１２】
本発明はまた、添設部の床との接触面を、粗面にするようにしたことを特徴とする。そしてこれにより、耐火層間材を層間に装着する際に、支持金具が位置ずれする等の不具合がなく、作業性が悪くなるおそれがない。
【００１３】
本発明はまた、上端支持部または添設部のうちの少なくともいずれか一方に、床に貼着される接着層を設けるようにしたことを特徴とする。そしてこれにより、支持金具を予め層間に装着した後で、耐火層間材のみを層間に挿入するといった作業が可能となり、作業性を向上させることが可能となる。
【００１４】
本発明はまた、支持金具を、平板材を屈曲加工して形成するようにしたことを特徴とする。そしてこれにより、製作が容易で、平板材の幅調節のみで強度を自由に調節することが可能となる。
【００１５】
本発明はさらに、支持金具を、帯状平板材ではなく、Ｕ形状に二つ折りにされた棒材を屈曲加工して形成されていることを特徴とする。そしてこれにより、より少ない材料で支持金具を製作でき、保管等が容易である。
【００１６】
【発明の実施の形態】
以下、本発明を図面を参照して説明する。
図１は、本発明の第１の実施の形態に係る耐火層間材の支持装置を示すもので、図中、符号１は建築物の床であり、この床１は、図示しないデッキプレートの外周縁にコンクリート止め用の鉄板２を溶着するとともに、デッキプレート上にコンクリート３を打設して形成されるようになっている。そして、この床１とカーテンウォールパネル等で形成される外壁４との間には、所定幅の間隙Ｇが形成されており、この間隙Ｇ内には、耐火層間材５が支持金具６で支持された状態で配設されるようになっている。
【００１７】
この耐火層間材５は、図２に示すように、セラミックス繊維，ロックウール，グラスウールあるいはアスベスト等の無機質繊維を集束または積層して弾性を持たせた角棒状の芯材７と、この芯材７の外表面を完全に被覆する例えばポリエチレンフィルム製の外被材８とを備えており、外被材８を含めた芯材７の幅寸法Ｗは、前記間隙Ｇよりも大寸法に設定されている。したがって、芯材７は多少圧縮された状態で間隙Ｇ内に配置され、充分な密着性が確保されるようになっている。
【００１８】
前記外被材８の上面には、図２に示すように、防水性と溶接火花に対する耐性とを有する例えば耐熱ゴム製の稍厚手の上面被覆材９が固設されており、外被材８の上面は、この上面被覆材９によって完全に被覆されるようになっている。
【００１９】
この上面被覆材９の床１に対応する幅方向内端部には、図２に示すように、１０〜４０ｍｍ程度の突出長さを有する内側延長縁９ａが長手方向に通して設けられており、この内側延長縁９ａの下面には、例えばブチルゴム製の接着層１０が設けられ、その表面は剥離紙１１で保護されている。そしてこの内側延長縁９ａは、図１に示すように、耐火層間材５を間隙Ｇ内に配置した際に、床１の外側面に貼着固定され、床１との間の防水性を確保するようになっている。なお、この内側延長縁９ａは、床１の外側面ではなく、床１の上面に貼着固定するようにしてもよい。
【００２０】
前記上面被覆材９の外壁４に対応する幅方向外端部には、図２に示すように、内側延長縁９ａとほぼ同一の突出長さを有する外側延長縁９ｂが、長手方向に通して設けられており、この外側延長縁９ｂの下面には、前記接着層１０と同様の接着層１２が設けられ、その表面は剥離紙１３で保護されている。そしてこの外側延長戦９ｂは、図１に示すように、耐火層間材５を間隙Ｇ内に配置した際に、外壁４の内面に貼着固定され、外壁４の間の防水性を確保するようになっている。
【００２１】
一方、前記支持金具６は、図１および図３に示すように、床１の上面に配置される上端支持部１４と、上端支持部１４から床１の外面にそって垂下する添設部１５と、添設部１５の下端から外方に屈曲して先端が外壁４に接触する支持部１６とで構成されており、支持部１６は、添設部１５の下端から湾曲部を介して斜め上方に延びている。そしてこれにより、支持金具６を間隙Ｇ内に配置する際に、上方から容易に挿入できるようになっている。
【００２２】
また、前記添設部１５の床１との対向面には、図３に示すように、粗面加工により粗面部１７が設けられており、この添設部１５から前記支持部１６の先端までの寸法Ｌは、前記間隙Ｇの幅員よりも稍大寸法に設定され、支持金具６を間隙Ｇ内に圧力下で挿入固定できるようになっている。
【００２３】
前記支持金具６は、例えば５ｃｍ程度の幅員を有する平板材を屈曲加工して形成されており、この支持金具６は、耐火層間材５の長手方向に間隙を置いて複数配置されるようになっている。
【００２４】
次に、本実施の形態の作用について説明する。
施工に際しては、まず間隙Ｇ内に、長手方向に任意の間隔で複数の支持金具６を挿入する。この際、支持金具６の添設部１５から支持部１６の先端までの寸法Ｌは、間隙Ｇの幅員よりも稍大寸法に設定されているので、支持金具６は、圧力下で間隙Ｇ内に挿入されることになり、その結果、粗面部１７が鉄板２の外面に圧接されることになる。このため、支持金具６の間隙Ｇ内への設置安定性を向上させることができる。
【００２５】
このようにして、支持金具６を間隙Ｇ内に装着固定したならば、図２の耐火層間材５を、両延長縁９ａ，９ｂを上方に折り曲げた状態で間隙Ｇ内に挿入する。
そしてその後、各剥離紙１１，１３を除去するとともに、各延長縁９ａ，９ｂを床１の外面および外壁４の内面に押し付けて、各延長縁９ａ，９ｂを床１および外壁４に貼着固定する。
【００２６】
しかして、耐火層間材５は、支持金具６の支持部１６によって、下面側から支持されることになるので、各延長縁９ａ，９ｂが床１あるいは外壁４に充分に貼着固定できない場合であっても、耐火層間材５が間隙Ｇから脱落するといった不具合は全くない。したがって、この意味からすれば、各延長縁９ａ，９ｂの接着層１０，１２は省略してもよい。
【００２７】
図４は、本発明の第２の実施の形態を示すもので、支持金具６の上端支持部１４下面および添設部１５外面に接着層２１をそれぞれ設け、その外面を剥離紙２２で保護するようにしたものである。
なお、その他の点については、前記第１の実施の形態と同一構成となっており、作用も同一である。
【００２８】
しかして、支持金具６に接着層２１を設けることにより、支持金具６を間隙Ｇ内に完全に貼着固定することができるので、設置安定性をより向上させることができる。
【００２９】
なお、前記第２の実施の形態においては、上端支持部１４および添設部１５の両方に接着層２１を設ける場合について説明したが、いずれか一方のみに設ければ、所期の効果は得ることができる。
【００３０】
図５は、本発明の第３の実施の形態を示すもので、前記第１の実施の形態における支持金具６に代え、支持金具３６を用いるようにしたものである。
【００３１】
すなわち、この支持金具３６は、図５に示すように、床１の上面に配置される上端支持部３７と、上端支持部３７から床１の外面にそって垂下する添設部３８と、添設部３８の下端から外方に突出して耐火層間材５中に挿入される挿入支持部３９とで構成されており、火災等で耐火層間材５の下側が高温になっても、耐火層間材５自体によって、挿入支持部３９の温度上昇を防止できるようになっている。
【００３２】
この支持金具３６は、図６に示すように、Ｕ形状に二つ折りにされた棒材を用い、その開放端側に挿入支持部３９がくるように屈曲加工して形成されており、棒材の開放側両端部は、ピン状に先細加工４０が施されている。そしてこれにより、挿入支持部３９を現場で容易に耐火層間材５に挿入することができるようになっている。
なお、その他の点については、前記第１の実施の形態と同一構成となっており、作用も同一である。
【００３３】
しかして、この支持金具３６は棒材で形成されているので、より少ない材料で製作することができ、保管や運搬が容易である。また、挿入支持部３９を、現場で容易に耐火層間材５に挿入することができる。
【００３４】
なお、本発明は、前記各実施の形態に限定されるわけではなく、例えば支持金具６を、支持金具３６と同様に、棒材を用いて形成したり、あるいは逆に、支持金具３６を、支持金具６と同様に、平板材を用いて形成するようにしてもよい。
そして、平板材を用いて支持金具３６を形成した場合にも、挿入支持部３９側の先端部は、尖らせるようにした方が好ましい。
【００３５】
【発明の効果】
以上説明したように本発明は、建築物の床と外壁との間に配置される耐火層間材を支持する支持金具を備えた耐火層間材の支持装置において、前記支持金具を、床の上面に配置される上端支持部と、上端支持部から床の外面にそって垂下する添設部と、添設部の下端から外方に屈曲して先端が外壁に接触し耐火層間材を下面側から支持する支持部とで構成し、この支持金具を、耐火層間材の長手方向に間隔を置いて複数配置するようにしているので、支持金具は、機械的に層間に装着固定されることになり、床がどのような状態であっても安定した固定力を得ることができる。
【００３６】
本発明はまた、建築物の床と外壁との間に配置される耐火層間材を支持する支持金具を備えた耐火層間材の支持装置において、前記支持金具を、床の上面に配置される上端支持部と、上端支持部から床の外面にそって垂下する添設部と、添設部の下端から外方に突出して耐火層間材中に挿入される挿入支持部とで構成し、この支持金具を、耐火層間材の長手方向に間隔を置いて複数配置するようにしているので、支持金具の挿入支持部は、耐火層間材中に挿入されることになり、例えば下層階で発生した火災によって耐火層間材の下面が高温に晒されても、支持金具自体が高温になることはなく、常に安定な支持力を得ることができる。
【００３７】
本発明はまた、添設部の床との接触面を、粗面にするようにしているので、耐火層間材を層間に装着する際に、支持金具が位置ずれする等の不具合がなく、作業性が悪くなるおそれがない。
【００３８】
本発明はまた、上端支持部または添設部のうちの少なくともいずれか一方に、床に貼着される接着層を設けるようにしているので、支持金具を予め層間に装着した後で、耐火層間材のみを層間に挿入するといった作業が可能となり、作業性を向上させることができる。
【００３９】
本発明はまた、支持金具を、平板材を屈曲加工して形成するようにしているので、製作が容易で、平板材の幅調節のみで強度を自由に調節することができる。
【００４０】
本発明はさらに、支持金具を、Ｕ形状に二つ折りにされた棒材を屈曲加工して形成するようにしているので、より少ない材料で支持金具を製作でき、保管等が容易であるとともに、Ｕ形状の棒材の開放端側に挿入支持部を屈曲加工するようにすれば、耐火層間材への挿入が極めて容易となる。
【図面の簡単な説明】
【図１】本発明の第１の実施の形態に係る耐火層間材の支持装置を示す構成図である。
【図２】図１の耐火層間材の詳細を示す説明図である。
【図３】図１の支持金具の詳細を示す説明図である。
【図４】本発明の第２の実施の形態を示す図３相当図である。
【図５】本発明の第３の実施の形態を示す図１相当図である。
【図６】図５の支持金具の詳細を示す斜視図である。
【符号の説明】
１  床
２  鉄板
３  コンクリート
４  外壁
５  耐火層間材
６，３６  支持金具
７  芯材
８  外被材
９  上面被覆材
１０，１２，２１  接着層
１４，３７  上端支持部
１５，３８  添設部
１６  支持部
１７  粗面部
３９  挿入支持部
４０  先細加工
Ｇ  間隙
Ｗ  幅寸法
Ｌ  寸法
【図１】
0004545965.tif 000002
【図２】
0004545965.tif 000003
【図３】
0004545965.tif 000004
【図４】
0004545965.tif 000005
【図５】
0004545965.tif 000006
【図６】
0004545965.tif 000007